(57)【要約】【課題】直管ランプの位置に応じて簡単に取り付けられて直管ランプを確実に保持できる照明器具を提供する。【解決手段】照明器具１０は、反射板１８と、反射板１８に設けられて直管ランプ１９を支持する一対のソケット１３と、反射板１８に取り付けられる取付部２９と、直管ランプ１９を握着するばね部３０と、取付部２９およびばね部３０を連結する柔軟性を有する連結部３１とを備える。【選択図】図２
2013026062.tif 000002
【特許請求の範囲】
【請求項１】
反射板と、
前記反射板に設けられて直管ランプを支持する一対のソケットと、
前記反射板に取り付けられる取付部と、
前記直管ランプを握着するばね部と、
前記取付部および前記ばね部を連結する柔軟性を有する連結部とを備える照明器具。
【請求項２】
請求項１に記載の照明器具において、
前記取付部が前記反射板に設けられた取付孔に取り付けられる照明器具。
【請求項３】
請求項２に記載の照明器具において、
前記ばね部が環状である照明器具。
【請求項４】
請求項１ないし請求項３のうちのいずれか１項に記載の照明器具において、
前記取付部、前記ばね部および前記連結部が導電性を有する照明器具。
【発明の詳細な説明】
【技術分野】
【０００１】
本発明は、直管ランプを装備する照明器具に関する。
【背景技術】
【０００２】
従来より、台座板の中央部に取付孔を設け、台座板の端にアームを設け、アームの先端に筒状の保持部を設け、保持部にベルトを挿通し、ベルトの両端に接続部を設けた照明器具が知られている（例えば、特許文献１参照）。
特許文献１は、台座板が器具本体にねじ止めされ、アームの保持部に保持されているベルトが直管ランプに巻き付けられる。
【先行技術文献】
【特許文献】
【０００３】
【特許文献１】実開平７−７０１１号公報（図１、請求項１）
【発明の概要】
【発明が解決しようとする課題】
【０００４】
特許文献１は、直管ランプを機械的に固定するために直管ランプの落下を確実に防ぐことができ、地震の際に多い天井からの落下物による負傷等を軽減できる。
ところが、特許文献１は、アームが可撓性を有さないために、直管ランプに対応する位置にベルトを配置させることができない。
また、特許文献１は、ベルトを直管ランプに巻きつけなければならないために、作業性が良好ではない。
【０００５】
本発明は、前述した課題を解決するためになされたものであり、その目的は、直管ランプの位置に応じて簡単に取り付けられて直管ランプを確実に保持できる照明器具を提供することにある。
【課題を解決するための手段】
【０００６】
本発明に係る照明器具は、反射板と、前記反射板に設けられて直管ランプを支持する一対のソケットと、前記反射板に取り付けられる取付部と、前記直管ランプを握着するばね部と、前記取付部および前記ばね部を連結する柔軟性を有する連結部とを備える。
【０００７】
本発明に係る照明器具は、前記取付部が前記反射板に設けられた取付孔に取り付けられる。
【０００８】
本発明に係る照明器具は、前記ばね部が環状である。
【０００９】
本発明に係る照明器具は、前記取付部、前記ばね部および前記連結部が導電性を有する。
【発明の効果】
【００１０】
本発明に係る照明器具によれば、直管ランプの位置に応じて簡単に取り付けられて直管ランプを確実に保持できるという効果を奏する。
【図面の簡単な説明】
【００１１】
【図１】本発明に係る第１実施形態の照明器具の斜め下方から視た分解斜視図
【図２】本発明に係る第１実施形態の照明器具のランプ落下防止部材の取付時の斜め下方から視た外観斜視図
【図３】本発明に係る第１実施形態の照明器具の側面から視た垂直断面図
【図４】本発明に係る第１実施形態の照明器具の正面から視た垂直断面図
【図５】本発明に係る第２実施形態の照明器具の斜め下方から視た分解斜視図
【図６】本発明に係る第３実施形態の照明器具のランプ落下防止部材の取付前の斜め下方から視た外観斜視図
【図７】本発明に係る第３実施形態の照明器具のランプ落下防止部材の取付後の斜め下方から視た外観斜視図
【図８】本発明に係る第４実施形態の照明器具のランプ落下防止部材の斜め下方から視た外観斜視図
【発明を実施するための形態】
【００１２】
以下、本発明に係る複数の実施形態の照明器具について図面を参照して説明する。
（第１実施形態）
図１に示すように、本発明に係る第１実施形態の照明器具１０は、天井面１に既に設置されている既存反射板１１の一端部にソケット台１２を介して取り付けられている一対の給電側のソケット１３を備える。
また、照明器具１０は、既存反射板１１の他端部にソケット台１４を介して取り付けられている一対の接地側のソケット１５と、既存反射板１１に取り付けられている電源ユニット１６と、電源ユニット１６の近傍に配置されている電源端子台１７とを備える。
電源端子台１７には、天井面１から引き込まれる電源線５が電気的に接続されるとともに電源ユニット１６が電気的に接続され、電源ユニット１６に給電側のソケット１３および接地側のソケット１５が電気的に接続される。
【００１３】
そして、照明器具１０は、既存反射板１１に下方から被される反射板１８と、一対の給電側のソケット１３および一対の接地側のソケット１５に機械的および電気的に接続される一対の直管型ＬＥＤランプ１９とを備える。
さらに、照明器具１０は、反射板１８に取り付けられる複数のランプ落下防止部材２０を備える。
照明器具１０は、既存反射板１１に反射板１８を新たに取り付けて使用するリニューアルタイプである。
【００１４】
既存反射板１１は、天井面１から下方に向けて突出されている取付ボルト２にボルト孔２１が挿通された後に座金３を介してナット４がねじ込まれることにより、天井面１にあらかじめ設置されている。
反射板１８は、厚みの薄い板部材により成形されており、床面側に反射面２２を有し、既存反射板１１内に収容される。
反射板１８は、給電側のソケット１３および接地側のソケット１５を挿通させるための切欠き状の二対のソケット挿通孔２３を有する。
【００１５】
直管型ＬＥＤランプ１９は、断面がほぼ円形のガラス管２４の一端部の口金２５に、給電側のソケット１３に電気的に接続される給電側の口金ピン２６を有する。
直管型ＬＥＤランプ１９は、ガラス管２４の他端部の口金２７に、接地側のソケット１５に電気的に接続される接地側の口金ピン２８を有する。
直管型ＬＥＤランプ１９は、ガラス管２４内に、複数の不図示のＬＥＤを長手方向に封止させた不図示のＬＥＤ基板を有する不図示のＬＥＤユニットを内蔵している。
【００１６】
直管型ＬＥＤランプ１９は、給電側のソケット１３から給電された直流電流が給電側の口金ピン２６から接地側の口金ピン２８を通じて接地側のソケット１５に流れる。
そして、直管型ＬＥＤランプ１９は、ＬＥＤ基板に有する不図示のプリント回路に直流電流が供給されてＬＥＤが発光される。
直管型ＬＥＤランプ１９は、被照射対象に向けた照射範囲が全周に対して１／２ないし２／３である。
【００１７】
図２に示すように、ランプ落下防止部材２０は、環状の板形状に形成された取付部２９と、直管型ＬＥＤランプ１９を握着するＣ字形状に形成されたばね部３０と、取付部２９とばね部３０とを連結する連結部３１とを備える。
また、ランプ落下防止部材２０は、取付部２９に挿通されて反射板１８にねじ込まれる取付部材３２を備える。取付部材３２は、ねじ込みボルトやスタッドボルトが適用される。
取付部２９は、導電性を有する金属製部材により成形されている。ばね部３０は、取付部２９と同様に、導電性を有する金属製部材により成形されている。
連結部３１は、柔軟性を有し、取付部２９およびばね部３０と同様に、導電性を有する金属製部材により成形されている。
従って、ランプ落下防止部材２０は、直管型ＬＥＤランプ１９の接地回路を、ばね部３０から連結部３１および取付部２９を通じて反射板１８に形成できる。
ばね部３０は、弾性反発力を有する金属材料によりＣ字形状に形成されるのに代えて、直管型ＬＥＤランプ１９に縛り付けられるインシュロック形状も可能である。
【００１８】
次に、ランプ落下防止部材２０の取付手順について説明する。
まず、既存反射板１１の給電側のソケット１３および接地側のソケット１５に反射板１８のソケット挿通孔２３を外挿させながら、既存反射板１１に反射板１８が組み付けられる。
そして、給電側のソケット１３および接地側のソケット１５に装着される一対の直管型ＬＥＤランプ１９に対応する反射板１８の位置に取付部２９を配置した後に、取付部２９に挿通された取付部材３２が反射板１８にねじ込まれる。
【００１９】
図３および図４に示すように、ランプ落下防止部材２０は、取付部２９に挿通されて反射板１８にねじ込まれた取付部材３２が直管型ＬＥＤランプ１９と反射板１８との間において、直管型ＬＥＤランプ１９に干渉しない位置に配置される。
そして、ランプ落下防止部材２０は、ばね部３０が直管型ＬＥＤランプ１９の周面に取り付けられ、ばね部３０が取り付けられている直管型ＬＥＤランプ１９が給電側のソケット１３および接地側のソケット１５に装着されることになる。
【００２０】
以上、説明した本発明に係る第１実施形態の照明器具１０によれば、取付部２９が直管型ＬＥＤランプ１９に応じた反射板１８の位置に取り付けられることにより、連結部３１に連結されたばね部３０が直管型ＬＥＤランプ１９を握着する。
そのため、照明器具１０によれば、従来のものと比べて、柔軟性を有する連結部３１を介してばね部３０を直管型ＬＥＤランプ１９に応じた位置に配置できる。
また、照明器具１０によれば、従来のもののように、ベルトを直管ランプに巻きつける必要がないために、直管型ＬＥＤランプ１９を簡単に握着できる。
従って、照明器具１０によれば、直管型ＬＥＤランプ１９の位置に応じて簡単に取り付けられて直管型ＬＥＤランプ１９を確実に保持できる。
【００２１】
また、照明器具１０によれば、取付部２９、ばね部３０および連結部３１が導電性を有するために、直管型ＬＥＤランプ１９の接地回路を、ばね部３０から連結部３１および取付部２９を通じて反射板１８に形成できる。
従って、照明器具１０によれば、直管型ＬＥＤランプ１９に確実な接地回路を形成でき、静電気等に対処できる。
【００２２】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２３】
図５に示すように、本発明に係る第２実施形態の照明器具４０は、複数の取付孔４２を有する反射板４１が適用され、反射板４１の取付孔４２に取付部２９に挿通された取付部材３２がねじ込まれる。
取付孔４２は、通常、取付部材３２を使って反射板４１を不図示の器具本体等に取り付けるために用いられるものであり、これら取付孔４２をランプ落下防止部材２０の取り付けに併用する。
【００２４】
照明器具４０によれば、取付部２９に挿通された取付部材３２が反射板４１に既に設けられている取付孔４２にねじ込まれるために、取付部材３２のねじ込みに係る作業を飛躍的に簡単にできる。
【００２５】
（第３実施形態）
次に、本発明に係る第３実施形態の照明器具について説明する。
図６に示すように、本発明に係る第３実施形態の照明器具５０は、四角形の板形状に形成された取付部５２を有するランプ落下防止部材５１が適用される。ランプ落下防止部材５１は、取付部５２にラッチ挿通孔５３を有する。
【００２６】
ランプ落下防止部材５１は、反射板１８への取り付けにあたり、取付部５２のラッチ挿通孔５３を、反射板１８に有するラッチ部材５４に挿通させる。
図７に示すように、ランプ落下防止部材５１は、取付部５２のラッチ挿通孔５３にラッチ部材５４が挿通された後に、ラッチ部材５４がほぼ９０度回動されることにより、ラッチ部材５４が取付部５２に係止されて固定される。
【００２７】
第３実施形態の照明器具５０によれば、ラッチ部材５４を回すだけで取付部５２を反射板１８に取り付けできるので、取付作業性を飛躍的に向上できる。
【００２８】
（第４実施形態）
次に、本発明に係る第４実施形態の照明器具について説明する。
図８に示すように、本発明に係る第４実施形態の照明器具６０は、取付部２９に連結部３１を介して環状のばね部６２を備えるランプ落下防止部材６１が適用される。
【００２９】
ランプ落下防止部材６１は、反射板１８への取り付けにあたり、取付部２９に挿通された取付部材３２が反射板１８にねじ込まれた後に、ばね部６２が直管型ＬＥＤランプ１９の周面に外挿される。
そして、ばね部６２が取り付けられている直管型ＬＥＤランプ１９が給電側のソケット１３および接地側のソケット１５に装着される。
【００３０】
照明器具６０によれば、環状のばね部６２を備えるランプ落下防止部材６１が適用される。
従って、照明器具６０によれば、直管型ＬＥＤランプ１９に取り付けられたばね部６２から、直管型ＬＥＤランプ１９が容易に外れないために、直管型ＬＥＤランプ１９の保持力を増大できる。
【００３１】
なお、本発明の照明器具においてソケット台，電源ユニット，電源端子台，直管型ＬＥＤランプ等は、前述した各実施形態に限定されるものでなく、適宜な変形や改良等が可能である。
【符号の説明】
【００３２】
１０，４０，５０，６０  照明器具
１３，１５  ソケット
１８，４１  反射板
１９  直管型ＬＥＤランプ（直管ランプ）
２９，５２  取付部
３０，６２  ばね部
３１  連結部
４２  取付孔
【図１】
2013026062.tif 000003
【図２】
2013026062.tif 000004
【図３】
2013026062.tif 000005
【図４】
2013026062.tif 000006
【図５】
2013026062.tif 000007
【図６】
2013026062.tif 000008
【図７】
2013026062.tif 000009
【図８】
2013026062.tif 000010